(57)【要約】      （修正有）【課題】外側の面を二重にし、最も外側の面を底部で折り曲げてノートカバーを自立させることができる自立式ノートカバー及びダイアリーを提供する。【解決手段】本体１０の外側の面を二重にして底辺部分で折り曲げ可能に接続し、外側面１２の更に外側の面を自立支持部１３として横方向に三段階に折り曲げ可能として底辺部分で三角柱の形状を形成して、外側面１２を支えるようにしてノートカバーの本体１０を自立させる自立式ノートカバー及びダイアリーである。【選択図】図４
0003217238.tif 000002
【実用新案登録請求の範囲】
【請求項１】
ノートが設置されるノートカバーであって、
本体の底辺に当該本体の外側面を支えて当該本体を自立させる自立支持部を折り曲げ可能に接続し、
前記自立支持部が、前記底辺に並行に複数の折り曲げ可能な接続部を有することを特徴とするノートカバー。
【請求項２】
本体の内側に折り曲がる折り曲げ部が当該本体の中央縦方向に形成され、
自立支持部が、前記折り曲げ部に対応して折り曲がる接続部を有することを特徴とする請求項１記載のノートカバー。
【請求項３】
自立支持部において、本体の底辺に並行に折り曲がる接続部によって区分けられる平面が、前記底辺に近い方から第１段目の平面、第２段目の平面、第３段目の平面で構成されており、
前記接続部が、前記底辺から近い方から第１の接続部、第２の接続部、第３の接続部で構成されており、
前記第１段目の平面の前記第１の接続部から前記第２の接続部までの幅が、前記第２段目の平面の前記第２の接続部から前記第３の接続部までの幅より広く、
前記第２段目の平面の前記第２の接続部から前記第３の接続部までの幅が、前記第３段目の平面の前記第３の接続部から終端までの幅より広くしたことを特徴とする請求項１又は２記載のノートカバー。
【請求項４】
第１の接続部、第２の接続部及び第３の接続部の中央に、貫通窓を設けたことを特徴とする請求項３記載のノートカバー。
【請求項５】
請求項１乃至４のいずれか記載のノートカバーにノートが設置されていることを特徴とするダイアリー。
【考案の詳細な説明】
【技術分野】
【０００１】
本考案は、ノートカバーに係り、特に、ブックスタンドのようにノート又はダイアリーを立てて使用することができる自立式ノートカバー及びダイアリーに関する。
【背景技術】
【０００２】
［先行技術の説明］
従来のブックカバー又はノートカバーには、立てて使用できる構成のものがあった。
［関連技術］
尚、関連する先行技術文献として、特開２０１４−１２８８９７号公報「ノートブックカバー」（特許文献１）、実用新案登録第３１９４３１３号公報「ブックカバー」（特許文献２）がある。
【０００３】
特許文献１には、ノートカバーの背部に形成された折り返し部を「へ」の字状に開いて立てることができる構成が示されている。
しかしながら、特許文献１では、折り返し部の接触部分が点であるために、自立させることはできるものの、安定したものではなく、自立させた状態でノートに書き込むのには適していないものである。
【０００４】
特許文献２には、表（おもて）表紙が透明で写真等を収容できる収容層が設けられ、支持部で表表紙と裏表紙を連結することでブックカバーを立てることができる構成が示されている。
しかしながら、特許文献２では、垂直に自立させるものであるため、自立させた状態でノートに書き込むのが困難となっていた。
【先行技術文献】
【特許文献】
【０００５】
【特許文献１】特開２０１４−１２８８９７号公報
【特許文献２】実用新案登録第３１９４３１３号公報
【考案の概要】
【考案が解決しようとする課題】
【０００６】
しかしながら、従来のノートカバーでは、ノートが取り付けられた状態でノートカバーを自在に開いたり閉じたりでき、ノートカバーを立たせてノートを見易くできると共に、ノートカバーを立たせた状態で安定してノートに書き込みを行うことができないという問題点があった。
【０００７】
尚、特許文献１，２には、外側面を二重にし、最も外側の面を底辺部分で折り込んで三角柱の形状を形成して、ノートカバーを安定して自立させることについて記載がない。
従って、特許文献１，２では、ノートカバーを安定して自立させ、自立させた状態で容易にノートに書き込むことができるものとはなっていない。
【０００８】
本考案は上記実状に鑑みて為されたものであり、外側の面を二重にし、最も外側の面を底部で折り曲げてノートカバーを自立させることができる自立式ノートカバー及びダイアリーを提出することを目的とする。
【課題を解決するための手段】
【０００９】
上記従来例の問題点を解決するための本考案は、ノートが設置されるノートカバーであって、本体の底辺に当該本体の外側面を支えて本体を自立させる自立支持部を折り曲げ可能に接続し、自立支持部が、底辺に並行に複数の折り曲げ可能な接続部を有することを特徴とする。
【００１０】
本考案は、上記ノートカバーにおいて、本体の内側に折り曲がる折り曲げ部が当該本体の中央縦方向に形成され、自立支持部が、折り曲げ部に対応して折り曲がる接続部を有することを特徴とする。
【００１１】
本考案は、上記ノートカバーにおいて、自立支持部で、本体の底辺に並行に折り曲がる接続部によって区分けられる平面が、底辺に近い方から第１段目の平面、第２段目の平面、第３段目の平面で構成されており、接続部が、底辺から近い方から第１の接続部、第２の接続部、第３の接続部で構成されており、第１段目の平面の第１の接続部から第２の接続部までの幅が、第２段目の平面の第２の接続部から第３の接続部までの幅より広く、第２段目の平面の第２の接続部から第３の接続部までの幅が、第３段目の平面の第３の接続部から終端までの幅より広くしたことを特徴とする。
【００１２】
本考案は、上記ノートカバーにおいて、第１の接続部、第２の接続部及び第３の接続部の中央に、貫通窓を設けたことを特徴とする。
【考案の効果】
【００１３】
本考案によれば、本体の底辺に当該本体の外側面を支えて自立させる自立支持部を折り曲げ可能に接続し、自立支持部が、底辺に並行に複数の折り曲げ可能な接続部を有するノートカバーとしているので、ノートカバーの本体を自立させてノートを見易くできると共に、ノートカバーを机の上で立たせてノートに安定して書き込むことができ、また、外側面に自立支持部を平面として接触させれば、通常のノートカバーとして容易に閉じたり開いたりして使用できる効果がある。
【図面の簡単な説明】
【００１４】
【図１】自立させた本ノートカバーの本体内側面の概略図である。
【図２】自立させた本ノートカバーの本体外側面の概略図である。
【図３】本ノートカバーの本体内側面と自立支持部を示す平面概略図である。
【図４】本ノートカバーの本体外側面と自立支持部を示す平面概略図である。
【図５】本ノートカバーの本体外側面に自立支持部を接触させる途中の概略図である。
【図６】本ノートカバーの閉じた状態を示す図である。
【図７】本ノートカバーの自立方法を示す図である。
【図８】本ノートカバーを自立させノートを設置した概略図である。
【考案を実施するための形態】
【００１５】
本考案の実施の形態について図面を参照しながら説明する。
［実施の形態の概要］
本考案の実施の形態に係る自立式ノートカバー（本ノートカバー）は、本体の外側面を二重にして底辺部分で折り曲げ可能に接続し、最も外側の面を自立支持部として横方向に三段階に折り曲げ可能として底辺部分で三角柱の形状を形成して、ノートカバーの本体を自立させるものとしているので、ノートカバーの本体を自立させてノートを見易くすると共に、ノートカバーを机の上で立たせてノートに安定して書き込むことができ、また、外側面に自立支持部を平面として接触させれば、通常のノートカバーとして容易に閉じたり開いたりして使用できるものである。
【００１６】
［本ノートカバー：図１，２］
本ノートカバーについて図１，２を参照しながら説明する。図１は、自立させた本ノートカバーの本体内側面の概略図であり、図２は、自立させた本ノートカバーの本体外側面の概略図である。
本ノートカバーは、図１，２に示すように、本体１０の内側面１１、外側面１２と、自立支持部１３とを備えている。
【００１７】
［内側面１１］
本ノートカバーの内側面１１は、中央の谷折りになる折り曲げ部１１ｃと、その折り曲げ部１１ｃの右側に形成される右内側面１１ａと、折り曲げ部１１ｃの左側に形成される左内側面１１ｂとを備えている。
尚、右内側面１１ａの端部にはペン保持部１１ｇが設けられている。
【００１８】
［外側面１２］
外側面１２は、中央の山折りになる折り曲げ部１２ｃと、その折り曲げ部１２ｃの左側に形成される左外側面１２ａと、折り曲げ部１２ｃの右側に形成される右外側面１２ｂとを備えている。
左外側面１２ａと右内側面１１ａとが表裏をなしており、右外側面１２ｂと左内側面１１ｂとが表裏をなしており、折り曲げ部１２ｃと折り曲げ部１１ｃとが表裏をなしている。
【００１９】
左外側面１２ａと右内側面１１ａとの間に厚紙等の芯材を挿入している。同様に、右外側面１２ｂと左内側面１１ｂとの間に厚紙等の芯材を挿入してもよい。
尚、自立支持部１３の詳細は、後述する。
【００２０】
［本体内側面１１と自立支持部１３：図３］
次に、本ノートカバーの本体内側面１１と自立支持部１３について図３を参照しながら説明する。図３は、本ノートカバーの本体内側面と自立支持部を示す平面概略図である。
本体１０の内側面１１は、図３に示すように、折り曲げ部１１ｃを中心に右内側面１１ａと左内側面１１ｂが一体に形成されている。
【００２１】
右内側面１１ａには、ノートの表紙を差し込む差込口１１ｄが設けられ、更に端辺の角部にノートのページを差し込む三角コーナー１１ｆが設けられている。
左内側面１１ｂも同様に、差込口１１ｅと三角コーナー１１ｆが設けられている。
【００２２】
自立支持部１３は、６つの長方形の小平面１３ａ１〜１３ａ３，１３ｂ１〜１３ｂ３を備えている。
小平面１３ａ１は、その長辺が接続部１３ｃ１によって折り曲げ可能に右内側面１１ａに接続されている。
また、小平面１３ａ２は、その長辺が接続部１３ｃ２によって折り曲げ可能に小平面１３ａ１に接続されている。
また、小平面１３ａ３は、その長辺が接続部１３ｃ３によって折り曲げ可能に小平面１３ａ２に接続されている。
【００２３】
小平面１３ｂ１は、その長辺が接続部１３ｄ１によって折り曲げ可能に左内側面１１ｂに接続されている。
また、小平面１３ｂ２は、その長辺が接続部１３ｄ２によって折り曲げ可能に小平面１３ｂ１に接続されている。
また、小平面１３ｂ３は、その長辺が接続部１３ｄ３によって折り曲げ可能に小平面１３ｂ２に接続されている。
【００２４】
更に、小平面１３ａ１と小平面１３ｂ１とが、山折りに折り曲がる接続部１３ｅ１で接続している。
また、小平面１３ａ２と小平面１３ｂ２とが、山折りに折り曲がる接続部１３ｅ２で接続している。
また、小平面１３ａ３と小平面１３ｂ３とが、山折りに折り曲がる接続部１３ｅ３で接続している。
【００２５】
小平面１３ａ１，１３ｂ１の幅（接続部１３ｃ１，１３ｄ１から接続部１３ｃ２，１３ｄ２までの長さ）は、小平面１３ａ２，１３ｂ２の幅（接続部１３ｃ２，１３ｄ２から接続部１３ｃ３，１３ｄ３までの長さ）より広くなっている。
また、小平面１３ａ２，１３ｂ２の幅（接続部１３ｃ２，１３ｄ２から接続部１３ｃ３，１３ｄ３までの長さ）は、小平面１３ａ３，１３ｂ３の幅（接続部１３ｃ３，１３ｄ３から反対側の長辺（終端）までの長さ）より広くなっている。
このような構成とした理由は、後述する。
【００２６】
更に、接続部１３ｅ１と内側面１１との間には貫通窓１４ａが、接続部１３ｅ２と接続部１３ｅ１との間には貫通窓１４ｂが、接続部１３ｅ３と接続部１３ｅ２との間には貫通窓１４ｃが設けられている。
貫通窓１４ａ，１４ｂ，１４ｃは、自立支持部１３の表と裏を貫通するもので、この窓の隙間が自由に変形することにより自立支持部１３における折り曲げを容易にするものである。
【００２７】
また、接続部１３ｅ１，１３ｅ２，１３ｅ３は、図３において、手前に突出して凸状態となっており、裏面では凹状態となっている。具体的には、断面が円弧状に湾曲している。
この形状が、自立支持部１３を外側に畳んだ場合に、本体１０の外側面１２の折り曲げ部１２ｃに接続部１３ｅ１，１３ｅ２，１３ｅ３が接触して、本体１０が閉じる場合にも歪むことがなく接触状態を保持できるものである。
【００２８】
［本体外側面１２と自立支持部１３：図４］
次に、本ノートカバーの本体外側面１２と自立支持部１３について図４を参照しながら説明する。図４は、本ノートカバーの本体外側面と自立支持部を示す平面概略図である。
本体１０の外側面１２は、図４に示すように、折り曲げ部１２ｃを中心に左外側面１２ａと右外側面１２ｂが一体に形成されている。
【００２９】
自立支持部１３の構成は、図３で説明した通りであり、異なる部分は、小平面１３ａ１が、左外側面１２ａに接続部１３ｃ１によって接続し、小平面１３ｂ１が、右外側面１２ｂに接続部１３ｄ１によって接続している。
【００３０】
［本体外側面１２に自立支持部１３を接触させる途中：図５］
次に、本体１０の外側面１２に自立支持部１３を接触させる動作について図５を参照しながら説明する。図５は、本ノートカバーの本体外側面に自立支持部を接触させる途中の概略図である。
図５に示すように、自立支持部１３を、本体１０の外側面１２の方向に接続部１３ｃ１，１３ｄ１で折り返して折り曲げ、外側面１２に自立支持部１３を小平面１３ａ１，１３ｂ１、小平面１３ａ２，１３ｂ２、小平面１３ａ３，１３ｂ３の順で接触させて外側面１２と自立支持部１３とを一体化させる。
【００３１】
本体１０の外側面１２に自立支持部１３が完全に接触させた状態で、本体１０を折り曲げ部１３ｃを中心に開閉させると、その開閉に合わせて、外側面１２の折り曲げ部１２ｃに接触する接続部１３ｅ１，１３ｅ２，１３ｅ３も折り曲げ部１２ｃに同調して開閉するものである。
【００３２】
［本ノートカバーの閉じた状態：図６］
次に、本ノートカバーの閉じた状態について図６を参照しながら説明する。図６は、本ノートカバーの閉じた状態を示す図であり、（ａ）が閉じた状態の右側面図であり、（ｂ）が閉じた状態の底面図である。
本ノートカバーの閉じた状態は、図６に示すように、外側面１２に自立支持部１３が全体的に覆い被さった状態で一体化し、接続部１３ｅ１，１３ｅ２，１３ｅ３を中心として２つ折りされた状態であり、本体１０の外側に支持のための特別な構成を突出させるものではない。
【００３３】
［本ノートカバーの自立方法：図７］
次に、本ノートカバーの自立方法について図７を参照しながら説明する。図７は、本ノートカバーの自立方法を示す図であり、（ａ）が自立途中の概略図であり、（ｂ）が自立させた状態を示す概略図である。
本ノートカバーは、図７に示すように、自立支持部１３の接続部１３ｃ１，１３ｄ１で折り曲げて小平面１３ａ１，１３ｂ１を卓上面に設置させ、小平面１３ａ２，１３ｂ２を接続部１３ｃ２，１３ｄ２で折り曲げて、小平面１３ａ３，１３ｂ３を接続部１３ｃ３，１３ｄ３で折り曲げて左外側面１２ａ、右外側面１２ｂに接触させる。
【００３４】
これにより、図７（ｂ）に示すように、自立支持部１３が三角柱の形状（内部は空洞）が形成されて、本体１０が自立するものである。
ここで、安定して自立させるために、小平面１３ａ１，１３ｂ１の幅（図３，４における縦方向の長さ）に比べて小平面１３ａ２，１３ｂ２の幅が短く、小平面１３ａ３，１３ｂ３の幅が更に短くしている。
【００３５】
小平面１３ａ１，１３ｂ１の幅を最も広くしているのは、机等の表面との接着面を広くして安定化させるためである。
また、小平面１３ａ２，１３ｂ２の幅を中間の長さとしたのは、本体１０を垂直面から若干寝かせて角度を付けるためである。
また、小平面１３ａ３，１３ｂ３は、外側面１２をしっかりと保持するものとなっている。
【００３６】
尚、小平面１３ａ１，１３ｂ１，１３ａ２，１３ｂ２，１３ａ３，１３ｂ３を全て同じ幅の長さとしてもよい。
また、小平面１３ａ１，１３ｂ１と小平面１３ａ２，１３ｂ２とを同じ幅の長さとして小平面１３ａ３，１３ｂ３の幅を短くしてもよい。
また、小平面１３ａ２，１３ｂ２と小平面１３ａ３，１３ｂ３とを同じ幅の長さとして小平面１３ａ１，１３ｂ１の幅を長くしてもよい。
【００３７】
［自立させた本ノートカバーにノートを設置：図８］
次に、本ノートカバーを自立させて利用する方法について図８を参照しながら説明する。図８は、本ノートカバーを自立させノートを設置した概略図である。
本ノートカバーは、図８に示すように、本体１０の内側面１１の差込口１１ｄ，１１ｅにノートの表紙を差し込み、ノートのページを三角コーナー１１ｆに差し込み、ペン保持部１１ｇにペンが挿入されており、ノートを本ノートカバーによって卓上に立てて使用することができ、自立支持部１３が安定して自立させるようになっているので、自立させた状態でもノートに安定して書き込むことができるものである。
【００３８】
このように、本ノートカバーにノートを設置したものが本実施の形態のダイアリー（本ダイアリー）である。
本ダイアリーのように、自立させることができるので、机の上を広く使うことができ、立てたダイヤリーを参照しながらキーボード入力等の別の作業を行うことができる。
【００３９】
［応用例］
本ノートカバーでは、ノートの表紙を差込口１１ｄ，１１ｅに差し込む構成としているが、内側面１１の折り曲げ部１１ｃにリフィル又はルーズリーフを閉じるバインダーを設ける構成であってもよい。
【００４０】
［実施の形態の効果］
本ノートカバーによれば、本体１０の外側の面を二重にして底辺部分で折り曲げ可能に接続し、外側面１２の更に外側の面を自立支持部１３として横方向に三段階に折り曲げ可能として底辺部分で三角柱の形状を形成して、ノートカバーを自立させるものとしているので、ノートカバーを自立させてノートを見易くできると共に、ノートカバーを机の上で立たせてノートに安定して書き込むことができ、また、外側面１２に自立支持部１３を平面として接触させれば、通常のノートカバーとして容易に閉じたり開いたりして使用できる効果がある。
【産業上の利用可能性】
【００４１】
本考案は、外側の面を二重にし、最も外側の面を底部で折り曲げてノートカバーを自立させることができる自立式ノートカバー及びダイアリーに適している。
【符号の説明】
【００４２】
１０…本体、  １１…内側面、  １１ａ…右内側面、  １１ｂ…左内側面、  １１ｃ…折り曲げ部、  １１ｄ，１１ｅ…差込口、  １１ｆ…三角コーナー、  １１ｇ…ペン保持部、  １２…外側面、  １２ａ…左外側面、  １２ｂ…右外側面、  １２ｃ…折り曲げ部、  １３…自立支持部、  １３ａ１，１３ａ２，１３ａ３，１３ｂ１，１３ｂ２，１３ｂ３…小平面、  １３ｃ１，１３ｃ２，１３ｃ３，１３ｄ１，１３ｄ２，１３ｄ３，１３ｅ１，１３ｅ２，１３ｅ３…接続部、  １４ａ，１４ｂ，１４ｃ…貫通窓
【図１】
0003217238.tif 000003
【図２】
0003217238.tif 000004
【図３】
0003217238.tif 000005
【図４】
0003217238.tif 000006
【図５】
0003217238.tif 000007
【図６】
0003217238.tif 000008
【図７】
0003217238.tif 000009
【図８】
0003217238.tif 000010